(57)【特許請求の範囲】
【請求項１】
上げ下げ窓或いは上げ下げ障子ドアのフレームを構成する縦枠内面に固定された滑車と、この滑車に巻き掛けられ、両端部を縦枠の長さ方向に垂下させた吊りワイアと、内側及び外側障子の何れか一方の側端縁下端部に突設され、吊りワイアの一端を固定した第１案内ブロックと、内側及び外側障子の他方の側端縁下端部に突設され、鉛直な第１雌ねじ孔を形成した第２案内ブロックと、この第２案内ブロックの上方に配設され、上端に吊りワイアの他端を固定し、下端に第２雌ねじ孔を形成した撚り戻しと、ねじ切り方向が同じでリードが相互に異なる第１雄ねじ部及び第２雄ねじ部を同軸に結合した調節ねじとを有し、上記第１雄ねじ部を第２案内ブロックの第１雌ねじ孔に、第２雄ねじ部を撚り戻しの第２雌ねじ孔に夫々螺合させたことを特徴とする上げ下げ障子の吊りワイア調節装置。
【発明の詳細な説明】
【０００１】
【発明の属する技術分野】
この発明は、所謂上げ下げ窓或いは上げ下げ障子ドアの上げ下げ障子の吊りワイア調節装置（以下単にワイア調節装置という）に係り、特に、吊りワイアの調節量を長期間安定に維持することができるワイア調節装置に関する。
【０００２】
【従来の技術】
上げ下げ窓或いは上げ下げ障子ドアとは、嵌め込んだ障子を上下に移動させて通風を図ることができるようにした窓或いはドアのことで、例えばドアを例にとって説明すると、図１乃至図３に示すように、ドア１のフレームを構成する一対の縦枠２、２が仕切壁３によって断面略ヨ字形に成形され、内側及び外側ガイド溝４、５（図２参照）が形成されている。
【０００３】
この内側及び外側ガイド溝４、５には、図１及び図３に示すように、夫々ガラス板を嵌め込んだ内側及び外側障子６、７がガイド溝４、５に沿って上下方向に移動可能に案内、装着されている。
【０００４】
これら内側及び外側障子６、７は、夫々の両側において、仕切壁３の一部を切り欠いて設けられた滑車８に、これに巻き掛けられた吊りワイア９を介して、担持されている。
【０００５】
上記吊りワイア９の両端は、通常、内側及び外側障子６、７の側端縁下端に突設された案内ブロック１１に係止される。
【０００６】
上記のように構成された上げ下げ障子ドアは、例えば内側障子６を下げると、その分外側障子を吊り下げているワイア９が上昇するので、内側障子の上方及び外側障子の下方に隙間ができ、この隙間を介して通風を図ることができるばかりでなく、その隙間の量を調節することができる。
【０００７】
なお、図１において符号１２は摩擦を利用して障子を縦枠に固定する上げ下げロックの摘みを示し、この摘み１２を弛めてから手で障子を動かし、隙間の量を設定した後は摘み１２を反対方向に回して障子を固定する。この上げ下げロックの構造については、公知であるしまた本発明の要旨ではないので、更に詳細な説明を省略する。
【０００８】
【発明が解決しようとする課題】
上記のように構成された上げ下げ障子は、吊りワイア９の製作誤差に基づく長さの減少、或いは経年変化による伸びがあると、何れの場合も障子が閉り切れずに窓或いはドアの上部に隙間が生じることになる。
【０００９】
上記吊りワイアの長さを調節するため、例えば実開昭５６−１２１８６３号に記載された考案によるワイア調節装置は、調節ねじにより前記滑車８の取付位置を上下方向に調節したり、或いは特許第２８５９１１０号に係る特許公報に記載されたワイア調節装置のように、吊りワイア９の一端を調節ねじを及び撚り戻し装置を介して障子の案内ブロックに係止するようにしている。
【００１０】
しかしながら、上記したワイア調節装置は、窓やドアの開け閉めのときの衝撃により調節ねじが弛み、通常吊りワイア９の長さが増大して障子が閉り切れなくなるので、しばしば調節を繰り返さなければ成らない、という不都合がある。
【００１１】
そこで、この発明は、上記した不都合を解消し、吊りワイアの調節量を長期間安定に維持することができるワイア調節装置を提供することを目的としている。
【００１２】
【課題を解決するための手段】
上記の目的を達成するため、請求項１に記載の発明は、上げ下げ窓或いは上げ下げ障子ドアのフレームを構成する縦枠内面に固定された滑車と、この滑車に巻き掛けられ、両端部を縦枠の長さ方向に垂下させた吊りワイアと、内側及び外側障子の何れか一方の側端縁下端部に突設され、吊りワイアの一端を固定した第１案内ブロックと、内側及び外側障子の他方の側端縁下端部に突設され、鉛直な第１雌ねじ孔を形成した第２案内ブロックと、この第２案内ブロックの上方に配設され、上端に吊りワイアの他端を固定し、下端に第２雌ねじ孔を形成した撚り戻しと、ねじ切り方向が同じでリードが相互に異なる第１雄ねじ部及び第２雄ねじ部を同軸に結合した調節ねじとを有し、上記第１雄ねじ部を第２案内ブロックの第１雌ねじ孔に、第２雄ねじ部を撚り戻しの第２雌ねじ孔に夫々螺合させたことを特徴とする。
【００１３】
【実施例】
以下、この発明の実施例を図４乃至図６を参照して説明する。
図４及び図５において符号１３は第１案内ブロックを、符号１４は第２案内ブロックを夫々示す。
【００１４】
説明の都合上第２案内ブロック１４について先に説明すると、この第２案内ブロック１４は、図５及び図６に示すように、断面がコ字形で材質が例えば合成樹脂のブロック体で、図５に示すように、例えば内側障子６の側端縁下端部に、付番しない止めねじにより呼び付けられるようにして一体に装着されている。
【００１５】
この第２案内ブロック１４には、調節ねじ１５を介して、撚り戻し１６が上下方向の相対位置可変に装着されている。
【００１６】
すなわち、上記調節ねじ１５は、ねじ切り方向が同一で、リードが相互に異なる第１及び第２雄ねじ部１７及び１８を同軸かつ一体的に結合した杆体で、図５に示すように、その第１雄ねじ部を第２案内ブロック１４の下方の水平部に形成された鉛直な第１雌ねじ孔１９に螺合させている。
【００１７】
第２案内ブロック１４の上方の水平部の開口には、調節ねじ１５の第２雄ねじ部１８の上端部が回動可能に嵌合している。
【００１８】
また、上記撚り戻し１６は、図５に示すように、例えば板材を断面コ字形に折曲げた部材で、その上方の水平板部にはＵ字形切欠２１が、撚り戻し１６の下方の水平板部には、調節ねじ１５の第２雄ねじ部１８と螺合する第２雌ねじ孔２２が開口している。
【００１９】
そして、図５に示すように、撚り戻し１６の下方の水平板部は、第２案内ブロック１４の上方の水平部を乗り越えてこれより下方に位置する状態で、第２雄ねじ部１８と螺合している。
【００２０】
一方、図示しない外側障子の側端縁下端には、第１案内ブロック１３（図４参照）がこれもねじ止めにより一体に装着されており、この第１案内ブロック１３には、吊りワイア９の一端が固定されている。
【００２１】
図示の実施例では、吊りワイア９の両端には溶接又はかしめにより円盤状の係止フランジ２３（図４乃至図６参照）が一体に結合されており、吊りワイア９の一端は、この係止フランジ２３を第１案内ブロック１３の図示しない水平な棚板に形成されたＵ字形の切欠（図示せず）の下面に引っ掛けるようにして第１案内ブロック１３に固定されている。
【００２２】
また、図示の実施例では、上記係止フランジ２３がＵ字形の切欠から抜け外れることを防止するため、止めキャップ２４が嵌着されているが、この止めキャップ２４の構造は本発明の要旨ではないから、ここでは更に詳細な説明は省略する。
【００２３】
吊りワイア９の他端は、図４及び図５に示すように、上記撚り戻し１６の上方の水平板部に形成されたＵ字形切欠２１に係止フランジ２３を引っ掛けることにより、撚り戻し１６の上端に固定されている。
【００２４】
ちなみに、上記した構成のワイア調節装置を組み立てるには、例えば第２雄ねじ部１８の外径を第２案内ブロック１４の第１雌ねじ孔を挿通できるように設定し、先ず第２案内ブロック１４及び撚り戻し１６の相対関係位置を図５に示す基準位置に設定した後、下方から第２雄ねじ部１８を第１雌ねじ孔１８に挿通させ、しかる後第１雄ねじ部１７を第１雌ねじ孔１８に、第２雄ねじ部１８を第２雌ねじ孔２２に螺合させる。
【００２５】
なお、ワイア調節装置は同じ構成のものを障子の両側に設けるを可とする。また、図１において符号２９は上げ下げ障子ドアのハンドルである。
【００２６】
上記のように構成されたこの発明の一実施例によるワイア調節装置は、上げ下げ窓或いは上げ下げ障子ドアの下端縁に調節ねじ１５と同軸に開口した図示しない調節孔からドライバー等の工具を挿入し、工具の先端を調節ねじ１５の頭部に係合させて通常のねじを捩じ込み或いは弛める要領で調節ねじ１５を回す。
【００２７】
今、大径の第１雄ねじ部１７のリードをＬ、小径の第２雄ねじ部１８のそれをｌ（Ｌ＞ｌ）とし、下方から見て時計方向に調節ねじ１５を回すと調節ねじ１５が上昇する方向にねじが切られていると仮定する。
【００２８】
この場合、調節ねじ１５を時計方向に１回転させると、調節ねじ１５は撚り戻し１６と共に上方にＬだけ移動する。
【００２９】
一方、撚り戻し１６と第２雄ねじ部１８との螺合関係では、調節ねじ１５の時計方向の回動により第２雄ねじ部１８が撚り戻しの下方の水平板部を上方に抜ける方向に移動するので、調節ねじ１５に担持された撚り戻し１６は、調節ねじ１５に対し相対的に下方に移動する。
【００３０】
したがって、ドライバーによって調節ねじ１５を時計方向に１回転させれば、撚り戻し及びこれに連結された吊りワイア９の他端を（Ｌ−ｌ）だけ上方に移動させることができる。
【００３１】
同様にして、調節ねじ１５を下から見て反時計方向に１回転させれば、吊りワイア９の他端を（Ｌ−ｌ）だけ下方に引くことができる。なお、リードはｌ＞Ｌとしても差し支えない。
【００３２】
ちなみに、調節ねじ１５の第１及び第２雄ねじ部１７、１８のリードが同一であれば、調節ねじ１５を時計方向或いは反時計方向の何れの方向に回動させても撚り戻し１６は動かない。
【００３３】
一方、調節ねじ１５を下から見て時計方向に回したときには、その第２雄ねじ部１８が撚り戻し及び吊りワイア９を介して負荷である外側障子７を上方に引き上げる。
【００３４】
上記段落［００３３］の記述は、段落［００３０］の記述と一見矛盾するようであるが、段落［００３０］の記述が動作を客観的に、或いは外側から見て記述しているのに対し、段落［００３３］の記述は、意識を調節ねじ１５或いはこれと一体の第２雄ねじ部１８に移して、換言すれば、第２雄ねじ部１８になった積りで記述しているので、内容に矛盾は無い。
【００３５】
すなわち、第２雄ねじ部１８から見れば、例えば調節ねじ１５を時計方向に１回転させることにより、自身（第２雄ねじ部１８）がＬだけ上昇する過程において、負荷である外側障子７をｌの距離引揚げ、結果として、段落［００３０］に記載の通り、（Ｌ−ｌ）だけ外側障子７が下降する（Ｌ＞ｌの場合）。
【００３６】
このとき、調節ねじ１５は外側障子７の重量×ｌという位置のエネルギーを供給されており、調節ねじ１５を回すドライバーを手に持つ作業者は、ドライバーを回すに際し手答えを感じ、この手答えこそ、調節ねじ１５に位置のエネルギーを供給した証拠である。
【００３７】
同様にして、調節ねじ１５を反時計方向に回したときには、その第１雄ねじ部１４が撚り戻し１６及び吊りワイア９を介して負荷である外側障子７を上方に引き上げる。
【００３８】
したがって、調節ねじ１５を時計方向に回すときにも、反時計方向に回すときにも必ずエネルギーを必要とし、一旦吊りワイアを調節して工具を調節孔から抜去した後はこのエネルギーは供給されないから、一旦調節した調節ねじは何れの方向にも絶対に回動しない。
【００３９】
図６はこの発明の変形実施例を示し、この実施例は、調節ねじ１５の第１及び第２雄ねじ部１７、１８を一体にせず、市販のねじを組合わせて構成するようにしたものである。
【００４０】
すなわち、図６で符号１８はリードがＬの第１雄ねじ１７と同径でリードがｌ（Ｌ＞ｌ）の第２雄ねじを示し、これら第１及び第２雄ねじ１７、１８を図に示すように諸部材と係合させた後、結合筒２５中で突き合せ、ロックナット２６、２６で締めつけて固定する。
【００４１】
ちなみに、第２雄ねじ１８のねじ切り方向は第１雄ねじ１７のそれと同じであり、リードのみが異なるものを用いる。
【００４２】
この場合、市販のねじをその侭利用でき、製造コストを下げることができる、という利点が生じる。
【００４３】
なお、これはこの発明の必須の構成ではないが、吊りワイア９の他端の係止フランジ２３と吊りワイアとの間に大径部を設けてＵ字形切欠２１の幅を大きくし、ここを第２雄ねじ１８を回すドライバーが容易に挿通できるようにすると良い。
【００４４】
【発明の効果】
以上の説明から明らかなように、この発明は、吊りワイアの一端を第１案内ブロックに固定し、他端を撚り戻し及びねじ切り方向が同じでリードが異なる第１及び第２雄ねじ部を同軸に結合した調節ねじを介して第２案内ブロックに連結すると共に、調節ねじの第１雄ねじ部を第２案内ブロックに、第２雄ねじ部を撚り戻しに夫々螺合させるようにしたから、調節ねじを時計方向或いは反時計方向の何れの方向に回動させても調節ねじに負荷が掛かるようになり、その為一旦吊りワイアの長さを設定した後は、調節ねじが回らないので、その調節量を長期間維持できるという所期の効果を奏する。
【図面の簡単な説明】
【図１】  上げ下げ障子ドアの線図的正面図。
【図２】  そのＩＩ−ＩＩ線による縦枠の線図的断面図。
【図３】  図１のＩＩＩ−ＩＩＩ線による上げ下げ障子ドアの線図的一部断面図。
【図４】  この発明の一実施例によるワイア調節装置の正面図。
【図５】  その一部断面側面図。
【図６】  本発明の変形実施例によるワイア調節装置の要部を示す一部断面拡大側面図。
【符号の説明】
２  縦枠
６  内側障子
７  外側障子
８  滑車
９  吊りワイア
１３  第１案内ブロック
１４  第２案内ブロック
１５  調節ねじ
１６  撚り戻し
１７  第１雄ねじ部
１８  第２雄ねじ部
１９  第１雌ねじ孔
２２  第２雌ねじ孔
２５  結合筒
２６  ロックナット
【図１】
0004081943.tif 000002
【図２】
0004081943.tif 000003
【図３】
0004081943.tif 000004
【図４】
0004081943.tif 000005
【図５】
0004081943.tif 000006
【図６】
0004081943.tif 000007